(57)【要約】【課題】  簡単に組立てると共に、工事場所に応じてサイズを変える組立式防振床を提供する。【解決手段】  木製の支持プレートを有し、該支持プレートの一端に貫通孔が形成され、該貫通孔にねじロッドが螺入され、該ねじロッドの下端に防振効果を有するゴム座が設けられる組立式防振床であって、  前記支持プレートは、上プレートと下プレートからなり、上プレートと下プレートは夫々逆方向へずれすることにより、隣合う支持プレートの両辺における下プレートが上プレートより突出すると共に、他の両辺における上プレートが下プレートより突出することを特徴とする。【選択図】  図１
0003122229.tif 000002
【実用新案登録請求の範囲】
【請求項１】
木製の支持プレートを有し、該支持プレートの一端に貫通孔が形成され、該貫通孔にねじロッドが螺入され、該ねじロッドの下端に防振効果を有するゴム座が設けられる組立式防振床であって、
前記支持プレートは、上プレートと下プレートからなり、上プレートと下プレートは夫々逆方向へずれすることにより、隣合う支持プレートの両辺における下プレートが上プレートより突出すると共に、他の両辺における上プレートが下プレートより突出することを特徴とする組立式防振床。
【請求項２】
前記上プレートと下プレートとの間における支持プレートの四辺に嵌合溝が形成され、突出した上プレートの側辺に該嵌合溝と嵌合する可能な嵌合凸部が設けられることを特徴とする請求項１に記載の組立式防振床。
【請求項３】
前記支持プレートから突出する下プレートにおける側辺の上面に位置決め凹部が形成され、支持プレートから突出する上プレートにおける側辺の下面に前記位置決め凹部に嵌合する可能な位置決め凸部が設けられることを特徴とする請求項１又は２に記載の組立式防振床。
【考案の詳細な説明】
【技術分野】
【０００１】
本考案は、特に簡単に組立てると共に、工事場所に応じてサイズを変える組立式防振床に関するものである。
【背景技術】
【０００２】
一般に内装工事において、予め回線（例えばネット回線や電源コードなど）を設置する場合は、回線を露出させないようにするために、組立式床（又はネット床と称す）が用いられる。このような組立式床は、全ての回線を内設し、必要な箇所において回線を露出させることができるので、非常に便利である。
【０００３】
従来の組立式床は、例えば台湾実用新案公告第５００１４９号「組立式床の回線延出構造の改良」に開示されるように、支持部材によって組立式床を支持することにより、組立式床と本来の床との間に回線を設置する空間を形成させるものである。
【考案の開示】
【考案が解決しようとする課題】
【０００４】
しかしながら、従来の組立式床は、金属例えば鋼からなるため、設置する時に、工事現場の形状や、都合によって切断することができなく、予め工場で所要の寸法に切り出す必要があったので非常に面倒であった。
【０００５】
更に、一般の消費者は、前記金属製の組立式床を購入した後、自分で簡単に組立てることが難しく、必ず専門の作業員に組立作業を頼む必要があったので、非常に不便であった。
【０００６】
そこで、案出されたのが本考案であって、簡単に組立てると共に、工事場所に応じてサイズを変える組立式防振床を提供することを目的としている。
【課題を解決するための手段】
【０００７】
本願の請求項１の考案は、木製の支持プレートを有し、該支持プレートの一端に貫通孔が形成され、該貫通孔にねじロッドが螺入され、該ねじロッドの下端に防振効果を有するゴム座が設けられる組立式防振床であって、
前記支持プレートは、上プレートと下プレートからなり、上プレートと下プレートは夫々逆方向へずれすることにより、隣合う支持プレートの両辺における下プレートが上プレートより突出すると共に、他の両辺における上プレートが下プレートより突出することを特徴とする組立式防振床、を提供する。
【０００８】
本願の請求項２の考案は、前記上プレートと下プレートとの間における支持プレートの四辺に嵌合溝が形成され、突出した上プレートの側辺に該嵌合溝と嵌合する可能な嵌合凸部が設けられることを特徴とする請求項１に記載の組立式防振床、を提供する。
【０００９】
本願の請求項３の考案は、前記支持プレートから突出する下プレートにおける側辺の上面に位置決め凹部が形成され、支持プレートから突出する上プレートにおける側辺の下面に前記位置決め凹部に嵌合する可能な位置決め凸部が設けられることを特徴とする請求項１又は２に記載の組立式防振床、を提供する。
【考案の効果】
【００１０】
本考案は上記の課題を解決するものであり、互いに組立て可能な木製の支持プレートと、該支持プレートの一端に設けられるねじロッドと、該ねじロッドの下端に設けられるゴム座とから構成されるので、使用者の需要に応じて様々な形状に変化させることができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る組立式防振床の分解斜視図であり、図２は本考案に係る組立式防振床の断面図であり、図３は本考案に係る組立式防振床の使用状態を示す側面図であり、図４は本考案に係る組立式防振床の使用状態を示す分解斜視図であり、図５は本考案に係る組立式防振床の第１結合状態を示す斜視図であり、図６は本考案に係る組立式防振床の第２結合状態を示す斜視図であり、図７は本考案に係る組立式防振床の第３結合状態を示す斜視図である。
【００１３】
図１及び図２に示すように、本考案に係る組立式防振床は、木製の支持プレート（１０）を有し、該支持プレート（１０）の一端に貫通孔（１１）が形成され、該貫通孔（１１）にねじロッド（１２）が螺入され、該ねじロッド（１２）の下端に防振効果を有するゴム座（１３）が設けられる組立式防振床であって、
前記支持プレート（１０）は、上プレート（１００）と下プレート（１０１）からなり、上プレート（１００）と下プレート（１０１）は夫々逆方向へずれすることにより、隣合う支持プレート（１０）の両辺における下プレート（１０１）が上プレート（１００）より突出すると共に、他の両辺における上プレート（１００）が下プレート（１０１）より突出し、上プレート（１００）と下プレート（１０１）との間における支持プレート（１０）の四辺に嵌合溝（１０２）が形成され、突出した上プレート（１００）の側辺に該嵌合溝（１０２）と嵌合する可能な嵌合凸部（１０３）が設けられる。
【００１４】
前記支持プレート（１０）から突出する下プレート（１０１）における側辺の上面に位置決め凹部（１０４）が形成され、支持プレート（１０）から突出する上プレート（１００）における側辺の下面に前記位置決め凹部（１０４）に嵌合する可能な位置決め凸部（１０５）が設けられることにより、支持プレート（１０）が他の支持プレート（１０）と組立てる時、上プレート（１００）から突出した嵌合凸部（１０３）が他の支持プレート（１０）における嵌合溝（１０２）と嵌合することができると共に、位置決め凸部（１０５）が位置決め凹部（１０４）に嵌合しながら位置決めすることができる。
【００１５】
又、前記支持プレート（１０）における貫通孔（１１）にねじロッド（１２）を螺設する場合、先ず該貫通孔（１１）にねじ孔（２１）を有する連結座（２０）が設けられた後、ねじロッド（１２）を該ねじ孔（２１）に螺入することにより、該ねじロッド（１２）を支持プレート（１０）と結合する。又、該連結座（２０）は、ねじ等の固定部材（２２）により支持プレート（１０）の貫通孔（１１）に設置される。
【００１６】
又、図１、図３及び図４に示すように、本考案に係る組立式防振床を組立てる場合、先に固定部材（２２）によって連結座（２０）を支持プレート（１０）の貫通孔（１１）に設置し、ゴム座（１３）を設置したねじロッド（１２）を連結座（２０）のねじ孔（２１）に螺入し、床ユニット（３０）を設置するための所要の高さに調整した後、ゴム座（１３）が地面に設置され、次に前記述べたように支持プレート（１０）を互いに組立て、最後に床ユニット（３０）を組立てた支持プレート（１０）の上に設置するだけでよい。
【００１７】
又、組立てた支持プレート（１０）同士の構造強度を向上するために、支持プレート（１０）の間に該支持プレート（１０）における四辺構造と等しい補強用の連結プレート（１４）が設けられることができる。
【００１８】
前記支持プレート（１０）と連結プレート（１４）は、木製なので、一般の消費者でも、工事現場で所要の寸法に合う支持プレート（１０）又は連結プレート（１４）を切り出すことができるので、非常に便利である。
【００１９】
又、図５乃至図７に示すように、本考案に係る組立式防振床の組立て方式は、使用者の需要に応じて、L字形、T字形又は十字形の組立て構造に調整することができるので、使用の変化性が高い。
【産業上の利用可能性】
【００２０】
本考案は、互いに組立て可能な木製の支持プレートと、該支持プレートの一端に設けられるねじロッドと、該ねじロッドの下端に設けられるゴム座とから構成されるので、使用者の需要に応じて様々な形状に変化させることができる。
【図面の簡単な説明】
【００２１】
【図１】本考案に係る組立式防振床の分解斜視図である。
【図２】本考案に係る組立式防振床の断面図である。
【図３】本考案に係る組立式防振床の使用状態を示す側面図である。
【図４】本考案に係る組立式防振床の使用状態を示す分解斜視図である。
【図５】本考案に係る組立式防振床の第１結合状態を示す斜視図である。
【図６】本考案に係る組立式防振床の第２結合状態を示す斜視図である。
【図７】本考案に係る組立式防振床の第３結合状態を示す斜視図である。
【符号の説明】
【００２２】
１０        支持プレート
１００      上プレート
１０１      下プレート
１０２      嵌合溝
１０３      嵌合凸部
１０４      位置決め凹部
１０５      位置決め凸部
１１        貫通孔
１２        ねじロッド
１３        ゴム座
１４        連結プレート
２０        連結座
２１        ねじ孔
２２        固定部材
３０        床ユニット
【図１】
0003122229.tif 000003
【図２】
0003122229.tif 000004
【図３】
0003122229.tif 000005
【図４】
0003122229.tif 000006
【図５】
0003122229.tif 000007
【図６】
0003122229.tif 000008
【図７】
0003122229.tif 000009